(57)【要約】【課題】高オーバロード耐性、高分散補償能力の少なくとも一方を有し、安価で、小型の光受信器を提供する。【解決手段】光ファイバ１を介して入射された光信号を反射、回折する回折格子７と、回折格子７で反射、回折された光信号の一部を通過させる絞り１２と、入射された光信号に対する回折格子７の角度を調整することにより、回折格子７で反射された光信号及び回折された複数の光信号の中から、１つの光信号のみを絞り１２を通過させると共に、絞り１２を通過する光信号の光量を調整する角度調整素子と、絞り１２を通過した光信号が入射される受光素子８とを内部に備えた光受信器。【選択図】図１
2009246621.tif 000002
【特許請求の範囲】
【請求項１】
光ファイバを介して入射された光信号を反射、回折する回折格子と、
前記回折格子で反射、回折された光信号の一部が入射される受光素子と、
入射された前記光信号に対する前記回折格子の角度を調整することにより、前記回折格子で反射された光信号及び回折された複数の光信号の中から、１つの光信号のみを前記受光素子に入射させると共に、前記受光素子に入射させる光信号の光量を調整する角度調整素子とを内部に備えたことを特徴とする光受信器。
【請求項２】
光ファイバを介して入射された光信号を反射、回折する回折格子と、
前記回折格子で反射、回折された光信号の一部を通過させる絞りと、
入射された前記光信号に対する前記回折格子の角度を調整することにより、前記回折格子で反射された光信号及び回折された複数の光信号の中から、１つの光信号のみを前記絞りを通過させると共に、前記絞りを通過する光信号の光量を調整する角度調整素子と、
前記絞りを通過した光信号が入射される受光素子とを内部に備えたことを特徴とする光受信器。
【請求項３】
請求項１又は請求項２に記載の光受信器において、
前記回折格子で反射される光信号の反射角度が直角以外となるように、前記受光素子、又は、前記絞り及び前記受光素子を配置したことを特徴とする光受信器。
【請求項４】
光ファイバを介して入射された光信号を透過、回折する回折格子と、
前記回折格子で透過、回折された光信号の一部が入射される受光素子と、
入射された前記光信号に対する前記回折格子の角度を調整することにより、前記回折格子で透過された光信号及び回折された複数の光信号の中から、１つの光信号のみを前記受光素子に入射させると共に、前記受光素子に入射させる光信号の光量を調整する角度調整素子とを内部に備えたことを特徴とする光受信器。
【請求項５】
光ファイバを介して入射された光信号を透過、回折する回折格子と、
前記回折格子で透過、回折された光信号の一部を通過させる絞りと、
入射された前記光信号に対する前記回折格子の角度を調整することにより、前記回折格子で透過された光信号及び回折された複数の光信号の中から、１つの光信号のみを前記絞りを通過させると共に、前記絞りを通過する光信号の光量を調整する角度調整素子と、
前記絞りを通過した光信号が入射される受光素子とを内部に備えたことを特徴とする光受信器。
【請求項６】
請求項１から請求項５のいずれか１つに記載の光受信器において、
前記角度調整素子を、マイクロマシン、又は、圧電素子としたことを特徴とする光受信器。
【請求項７】
請求項１から請求項６のいずれか１つに記載の光受信器において、
前記回折格子を、ブレーズド回折格子としたことを特徴とする光受信器。
【請求項８】
請求項１から請求項７のいずれか１つに記載の光受信器において、
前記受光素子に流れる光電流の直流成分から、前記受光素子に入射した光信号の光強度を検出する光強度検出手段を設け、
前記光強度検出手段で検出する光強度が所定の範囲となるように、前記角度調整素子により前記回折格子の角度を制御したことを特徴とする光受信器。
【発明の詳細な説明】
【技術分野】
【０００１】
本発明は、光ファイバ通信の光受信器に関する。
【背景技術】
【０００２】
従来は、光受信器の性能を向上するために、性能向上のための部品を、その性能の項目ごとに追加する方法が採られてきた。例えば、オーバロード耐性を向上させるためには、図７（ａ）に示す構成が採用されており、又、通信距離を延ばすために、図７（ｂ）に示す構成が採用されていた。なお、図７において、符号１０１は可変光減衰器、１０２は光受信器、１０３は光分散補償器である。
【０００３】
具体的には、非常に強い光信号が光受信器１０２に入力し、そのために符号誤り率が低下したり、光受信器１０２内部の部品が破損したりするおそれがあるようなときには、図７（ａ）に示されるように、光受信器１０２の前段に可変光減衰器１０１が配置されて、適切な信号レベルまで光強度を低減する仕組みが用いられている。
【０００４】
又、光ファイバによる伝送距離が非常に長い場合（単一モード光ファイバを用いるシステムではおおむね８０ｋｍ以上）、何らかの分散補償が用いられる。図７（ｂ）では、光受信器１０２の前段に光分散補償器１０３が配置されて、光ファイバで生じた分散を補償することによって、伝送距離を延ばす工夫がなされている。
【０００５】
【非特許文献１】http://www.fdk.co.jp/cyber-j/pi#opt#voa.htm
【非特許文献２】http://www.civcom.com/Free#1ight.asP?MainID=10&Name=Free-Path%20Family
【発明の開示】
【発明が解決しようとする課題】
【０００６】
しかしながら、光受信器以外の他に上記可変光減衰器や光分散補償器を使用することには、以下のような欠点がある。
（１）部品点数の増加によるコスト増大とそれら部品間接続作業によるコスト増大。
（２）装置全体の大型化。
（３）部品間接続による光伝送路や光ファイバなどの脆弱性増大。
【０００７】
本発明は上記課題に鑑みなされたもので、高オーバロード耐性、高分散補償能力の少なくとも一方を有し、安価で、小型の光受信器を提供することを目的とする。
【課題を解決するための手段】
【０００８】
上記課題を解決する第１の発明に係る光受信器は、
光ファイバを介して入射された光信号を反射、回折する回折格子と、
前記回折格子で反射、回折された光信号の一部が入射される受光素子と、
入射された前記光信号に対する前記回折格子の角度を調整することにより、前記回折格子で反射された光信号及び回折された複数の光信号の中から、１つの光信号のみを前記受光素子に入射させると共に、前記受光素子に入射させる光信号の光量を調整する角度調整素子とを内部に備えたことを特徴とする。
【０００９】
上記課題を解決する第２の発明に係る光受信器は、
光ファイバを介して入射された光信号を反射、回折する回折格子と、
前記回折格子で反射、回折された光信号の一部を通過させる絞りと、
入射された前記光信号に対する前記回折格子の角度を調整することにより、前記回折格子で反射された光信号及び回折された複数の光信号の中から、１つの光信号のみを前記絞りを通過させると共に、前記絞りを通過する光信号の光量を調整する角度調整素子と、
前記絞りを通過した光信号が入射される受光素子とを内部に備えたことを特徴とする。
【００１０】
上記課題を解決する第３の発明に係る光受信器は、
上記第１又は第２の発明に記載の光受信器において、
前記回折格子で反射される光信号の反射角度が直角以外となるように、前記受光素子、又は、前記絞り及び前記受光素子を配置したことを特徴とする。
【００１１】
上記課題を解決する第４の発明に係る光受信器は、
光ファイバを介して入射された光信号を透過、回折する回折格子と、
前記回折格子で透過、回折された光信号の一部が入射される受光素子と、
入射された前記光信号に対する前記回折格子の角度を調整することにより、前記回折格子で透過された光信号及び回折された複数の光信号の中から、１つの光信号のみを前記受光素子に入射させると共に、前記受光素子に入射させる光信号の光量を調整する角度調整素子とを内部に備えたことを特徴とする。
【００１２】
上記課題を解決する第５の発明に係る光受信器は、
光ファイバを介して入射された光信号を透過、回折する回折格子と、
前記回折格子で透過、回折された光信号の一部を通過させる絞りと、
入射された前記光信号に対する前記回折格子の角度を調整することにより、前記回折格子で透過された光信号及び回折された複数の光信号の中から、１つの光信号のみを前記絞りを通過させると共に、前記絞りを通過する光信号の光量を調整する角度調整素子と、
前記絞りを通過した光信号が入射される受光素子とを内部に備えたことを特徴とする。
【００１３】
上記課題を解決する第６の発明に係る光受信器は、
上記第１〜第５のいずれかの発明に記載の光受信器において、
前記角度調整素子を、マイクロマシン、又は、圧電素子としたことを特徴とする。
【００１４】
上記課題を解決する第７の発明に係る光受信器は、
上記第１〜第６のいずれかの発明に記載の光受信器において、
前記回折格子を、ブレーズド回折格子としたことを特徴とする。
【００１５】
上記課題を解決する第８の発明に係る光受信器は、
上記第１〜第７のいずれかの発明に記載の光受信器において、
前記受光素子に流れる光電流の直流成分から、前記受光素子に入射した光信号の光強度を検出する光強度検出手段を設け、
前記光強度検出手段で検出する光強度が所定の範囲となるように、前記角度調整素子により前記回折格子の角度を制御したことを特徴とする。
【発明の効果】
【００１６】
本発明によれば、回折格子、絞り、角度調整素子を用いて、光信号を分光し、分光した複数の光信号から１つの光信号のみを受光素子へ入射すると共に、その入射強度を調整するので、受光素子へ入射する光信号の可変減衰を行うことが可能となり、その結果、オーバロード耐性を高くすることができる。又、分光した複数の光信号のうち、回折した１つの光信号（例えば、１次回折光）のみを受光素子へ入射すると共に、その入射強度を調整する場合には、受光素子へ入射する光信号の可変減衰を行うことが可能となると共に、光スペクトルスライスにより光信号の分散抑圧が可能となり、その結果、オーバロード耐性を高くすると共に分散補償能力も高くすることができる。
【００１７】
特に、回折した１つの光信号（例えば、１次回折光）の受光素子への入射強度を調整する場合には、高オーバロード耐性と高分散補償能力を光受信器に同時に付与することができるため、長い伝送距離も短い伝送距離も、一種類の光受信器でカバーすることができる。その結果、波長分割多重を用いた光ファイバ通信において、ネットワークやノード、リンクの設計が容易になり、又、波長分割多重を用いない光ファイバ通信網でも有効な手段となる。
【００１８】
又、本発明によれば、回折格子、絞り、角度調整素子を光受信器内部に設けて、高オーバロード耐性、高分散補償能力を有するようにしているので、従来のように装置全体が大きくなることはなく、小型にすることができる。又、他の外部部品との接続も不要となるので、コストを低減して、安価にすることができ、接続による脆弱性が増大することもない。
【発明を実施するための最良の形態】
【００１９】
以下、本発明に係る光受信器の実施形態について、図面を参照しながら説明する。
【実施例１】
【００２０】
図１〜図４を用いて、本発明に係る光受信器の実施形態の一例を説明する。なお、図１は、本実施例の光受信器の概略構成図であり、図２は、本実施例の光受信器における信号フロー図であり、図３は、本実施例の光受信器における回折格子の角度とフォトダイオードでの受光パターンを示す説明図であり、図４は、本実施例の光受信器において、回折格子の角度に対する減衰量、アイ開口改善量を示すグラフである。
【００２１】
本実施例の光受信器は、図１に示すように、当該光受信器の内部へ光信号を入射する光インターフェースとなる光ファイバ１と、光ファイバ１からの光信号を集光するレンズ４と、レンズ４で集光した光信号を、反射、回折する回折格子７と、入射された光信号に対する回折格子７の角度を調整する角度調整素子６と、回折格子７で反射、回折された光信号の一部を通過させる絞り１２と、絞り１２を通過した光信号を入射し、入射した光信号を電気信号へ光電変換するフォトダイオード（以降、ＰＤと略す。）８と、ＰＤ８から出力される電気信号を増幅するトランスインピーダンス増幅器（以降、ＴＩＡと略す。）９と、周囲の温度を計測する温度センサとなるサーミスタ１０とを有し、レンズ４、回折格子７、角度調整素子６、絞り１２、ＰＤ８、ＴＩＡ９、サーミスタ１０等を筐体５の内部に備えたものである。
【００２２】
回折格子７は、角度調整素子６に取り付けられており、この角度調整素子６は、上述したように、入射された光信号に対する回折格子７の角度を調整できるものである。入射された光信号に対する回折格子７の角度を調整することにより、回折格子７で反射された光信号及び回折された複数の光信号の中から、１つの光信号のみを絞り１２を通過させると共に、絞り１２を通過する光信号の光量を調整している。この絞り１２としては、例えば、ピンホールのように開口されたものであればよい。なお、本実施例では、絞りを用いる場合を説明しているが、ＰＤの開口部自身が絞りの動作をする場合には、絞りを用いる必要はない。例えば、ＰＤの直径は、およそビットレートの−１／２乗に比例するが、その直径が、本発明で用いる絞りの直径に近い場合には、絞り自体を別途設ける必要はない。
【００２３】
角度調整素子６としては、本実施例では、シリコン（Ｓｉ）基板に形成されたマイクロマシン（ＭＥＭＳ）を用いた。ＭＥＭＳを用いれば、１０Ｖ程度の電圧で、回折格子７の角度、つまり、回折格子７で反射、回折される光信号の角度を調整することが可能である。なお、角度調整素子６としては、回折格子７の角度を電気的に調整できるものがよく、その他に、ピエゾ圧電素子等も使用可能である。ＭＥＭＳもピエゾ圧電素子も、１０Ｖ程度で、回折格子７で反射、回折される光信号に十分な角度変位を与えることができる。
【００２４】
又、レンズ４は、光ファイバ１から出射された光信号を集光して、ＰＤ８で結像させるものであり、ファイバスリーブ２に取り付けた光ファイバ１の一端とＰＤ８とを、倍率約１：３の結像光学系で光学結合している。一般のシングルモード光ファイバのコア直径は約１０μｍで、一般の１０Ｇｂ／ｓ級ＰＤの受光直径が約３０μｍであるため、レンズ４が、この倍率のときに、光ファイバ１とＰＤ８とを効率よく光学結合させることができる。
【００２５】
本実施例の光受信器の組立ては、以下の手順で行う。なお、接続関係と信号フローは、後述の図２において詳細に説明する。
（１）サブ基板１１上に、光信号を受信するための電子回路部分、即ち、ＰＤ８、ＴＩＡ９及びサーミスタ１０を搭載し、必要な配線を行う。
（２）サブ基板１１を筺体５の内部へ取り付ける。取り付けは、銀ペーストでも半田付けでもよい。
（３）回折格子７を角度調整素子６に取り付け、その後、角度調整素子６を筺体５の内部に固定する。
（４）レンズ４が内部に収納されているレンズハウジング３を、筺体５に、ＹＡＧレーザによって溶接固定する。
（５）光ファイバ１の一端を取り付けたファイバスリーブ２を、レンズハウジング３に、ＹＡＧレーザで溶接固定する。このとき、光ファイバ１の他端側から１．５５μｍ帯のレーザ光を入力し、ＰＤ８に流れる光電流をモニタすることで、ファイバスリーブ２とＰＤ８の位置を調整し、光電流が最大になるところでレーザ溶接を行った。
（６）最後に、絞り１２を筐体５の内部に固定する。
【００２６】
次に、図２を用いて、本実施例の光受信器における信号フローを説明する。なお、図２中、実線は光信号、破線は電気信号を示す。
【００２７】
本実施例の光受信器で受信され、光電変換される光信号は、光ファイバ１により、光受信器の内部へ入射される。光信号としては、高速のものも本実施例の光受信器で使用可能である。内部へ入射された光信号は、レンズ４、回折格子７、そして、絞り１２を経て、ＰＤ８に入射される。このとき、光信号は、回折格子７で反射されたり、回折されたりするが、それらは各々光特性が異なり、その中の１つの光のみを、回折格子７とＰＤ８との間に配置した絞り１２で選択して、ＰＤ８へ入射するようにしている。入射された光信号に対する回折格子７の角度は、角度調整素子６によって決まるため、ＰＤ８へ入射される光信号の選択も、角度調整素子６により決定されることになる。なお、この光信号の選択については、後述の図３、図４において詳細に説明する。
【００２８】
そして、ＰＤ８に入力された光信号は電気信号に変換される。本実施例では、ＰＤ８として、高速高利得の特徴を持つアバランシェフォトダイオード（以降、ＡＰＤと略す。）を用いている。ＡＰＤでは、利得の温度依存性や印加電圧依存性が顕著であるため、サーミスタ１０の信号によって、ＡＰＤへの印加電圧を制御して、利得の温度依存性や印加電圧依存性を制御している。このようにして光電変換された電気信号が、ＴＩＡ１０で増幅されて、光受信器の外部へ出力される。
【００２９】
ここで、図３を用いて、回折格子７の角度とＰＤ８での受光パターンを説明する。なお、図３（ａ）はθ＝４５°の場合、図３（ｂ）はθ＞４５°の場合、図３（ｃ）はθ＞４５°のきの＋１次回折光のスペクトルを説明するものである。ここで、θはレンズ４を通過した光信号の中心と回折格子７のなす角（回折格子７への入射角）である。
【００３０】
図３に示すように、光信号は回折格子７で反射される際、反射光（０次光）と複数の回折光（±ｎ次光、ｎは整数）に分かれる。反射光と回折光では、それぞれの強度比が異なり、分散補償の有無も異なる。そして、回折格子７とＰＤ８との間に絞り１２を設置しているため、反射光と複数の回折光のうち、いずれか１本しか、ＰＤ８には入射しない。
【００３１】
θ＝４５°の場合には、図３（ａ）に示すように、反射光のみが絞り１２を通過してＰＤ８に入射することになる。一方、回折格子７の角度をθ＞４５°に変化させていき、例えば、θ＝［４５°＋（ｎ次回折角）］とする場合には、＋ｎ次の回折光のみが絞り１２を通過してＰＤ８に入射することになる。一例として、θ＝［４５°＋（１次回折角）］の場合には、図３（ｂ）に示すように、＋１次回折光のみが絞り１２を通過してＰＤ８に入射する。
【００３２】
図３（ｃ）に、この構成によって、光スペクトルスライスが生じ、更に、分散抑圧が実現できる原理の概略を示す。なお、ここでは、光変調方式として、ＮＲＺ（Non Return Zero）の強度シフトキーイングを例にする。
【００３３】
回折格子における回折角度は略波長に反比例する性質があるため、変調された光が回折格子に入射すれば、短波長側は０次光（反射光）に近い側に、又、長波長側は０次光（反射光）から遠い側に回折される。一般に、単一モード光ファイバを伝播した光は、光ファイバの波長分散によって、短波長側と長波長側で異なる位相変化を受ける。短波長側と長波長側に存在する情報は、本来、逆位相で同じものであるが、波長分散でその位相差が乱されると、受信側で元のＮＲＺ波形が再現されなくなる。
【００３４】
このような問題を改善する技術として、光スペクトルスライスがある。これは、変調によって中心波長の両側に発生した側波帯の片方のみを通過させ、２乗検波で受信しようという技術である。図３（ｃ）では、絞り１２を省略しているが、広がった側波帯の片方のみを通過させるように絞り１２を配置すれば、より具体的には、＋１次回折光のみが絞り１２を通過するように回折格子７の角度を調整すれば、光スペクトルスライスによって、ある程度の分散抑圧が可能になり、光ファイバ伝送距離の延伸が可能になる。
【００３５】
図４に、回折格子７の角度θに対する減衰量、アイ開口改善量を示す。図４において、上側のグラフが減衰量（対数スケール）であり、下側のグラフが、アイ開口改善量（任意単位）である。なお、回折格子７としては、そのピッチが等間隔になるように製作されたものを用いた。
【００３６】
図４からわかるように、θを４５°から大きくしていくと、０次の反射光がＰＤ８に入射しつつも、絞り１２でその光線の一部がＰＤ８へ入射できなくなるため、減衰量が大きくなる。この部分では、光受信器に光可変減衰器としての機能が付与されることになるが、アイ開口の改善は起きない。
【００３７】
更にθを大きくしていくと、＋１次の回折光が絞り１２を通過しＰＤ８へと入射するようになる。これに伴い、減衰量はいったん小さくなり、その後、再び大きくなる。この間は、光信号にスペクトルススライスの効果が作用し、光可変減衰と分散抑圧の両方の機能が働く。そのときに測定されたアイ開口改善度は、図４に示す通りである。θとして、ちょうど片方の側波帯のみがＰＤ８に入射するときに、アイ開口は最大となった。両側の側波帯は基本的には同じ情報を有するため、いずれの側波帯がＰＤ８に入射しても、同じ効果が得られる。つまり、アイ開口改善度としては双峰性を示している。
【００３８】
このように、本実施例の光受信器では、角度調整素子６の調整、つまり、回折格子７の角度調整によって、光可変減衰器としての機能、分散抑圧の機能を付加することになる。これらの特徴を生かして、長距離光ファイバ網の光受信器として使用したところ、短距離や長距離いずれの中継においても、大変低いビット・エラー・レートの光受信器として動作することが確認された。又、受信波長は、１．３μｍから１．５５μｍまでカバーされており、十分に広帯域であった。
【００３９】
なお、本実施例の光受信器では、回折格子７による＋１次回折光を、絞り１２を介して、ＰＤ８へ入射させる例を説明したが、回折格子７による反射光（０次光）を、絞り１２を介して、ＰＤ８へ入射させてもよい。この場合には、光可変減衰器としてのみ機能することになる。更には、回折格子７による２次回折光以降を、絞り１２を介して、ＰＤ８へ入射させてもよい。この場合には、反射光（０次光）、１次回折光の場合より、組立精度に余裕ができる。
【００４０】
又、本実施例の光受信器では、回折格子７として、反射型の回折格子を用いているが、透過型の回折格子等を用いても、全く同様の効果を得ることができる。
【実施例２】
【００４１】
本実施例は、実施例１の光受信器（図１参照）において、回折格子としてブレーズド回折格子を用いたものである。他の構成は、実施例１の光受信器と同じであるため、ここでは、重複する説明は省略する。
【００４２】
ブレーズド回折格子は、０次光よりも高次光の強度を強く設定することができるものである。例えば、＋１次光の回折効率を最も高くなるようにしておけば、０次光の減衰量を＋１次回折光よりも大きくすることができる。従って、このようなブレーズド回折格子を、実施例１で説明した光受信器に用いることで、更に短距離の光ファイバ網で使用した場合にも、十分に光信号強度を減衰させることができる。なお、このブレーズド回折格子は、後述の実施例３、４へも適用可能である。
【実施例３】
【００４３】
実施例１の光受信器では、回折格子によって光信号をほぼ直角に反射する構成を示した。この場合、偏光依存性がまったくない回折格子を用いることが理想的であるが、偏光依存性がまったくない回折格子を製作することは非常に難しく、又、費用も高くなる。偏光依存性の影響を除去するには、光信号の反射方向をできるだけ直角からずらすことが有効である。
【００４４】
そこで、本実施例では、回折格子による光信号の反射方向が直角でない構成としている。図５が、本実施例の光受信器を示す概略構成図である。本実施例の光受信器は、光信号の反射角度が異なる点を除けば、実施例１で示した光受信器と同等の構成でよいので、図５では、同等の構成要素に実施例１（図１参照）と同じ符号を付し、又、ここでも、重複する説明は割愛する。
【００４５】
図５に示すように、本実施例の光受信器においては、回折格子７で反射される光信号の反射角度が直角以外となるような位置に、絞り１２、ＰＤ８を配置している。具体的には、本実施例でも、サブ基板１１上にＰＤ８、ＴＩＡ９及びサーミスタ１０を搭載しており、回折格子７で反射される光信号の反射角度が、例えば、鋭角になるように、サブ基板１１上のＰＤ８を配置し、回折格子７とＰＤ８の間の光路上に絞り１２を配置している。
【００４６】
このような構成にすることにより、回折格子７自体の製造コストが低減でき、実施例１よりも低いコストで、実施例１と同様に良好な光受信特性を有する光受信器を製造することができる。
【実施例４】
【００４７】
本実施例は、実施例１〜３に示した光受信器に、光減衰量に基づいて、回折格子の角度を最適に制御するフィードバック制御回路を追加したものである。
【００４８】
一般的な光受信器は、光信号の光強度が−５ｄＢｍ以上、−１０ｄＢｍ以下の範囲のときにビット・エラー・レートが最小になる。従って、光信号の光強度が−５ｄＢｍより小さいときには減衰量を最小に設定し、−５ｄＢｍ以上であれば、ＰＤ８に入射する光強度が−５ｄＢｍ以上、−１０ｄＢｍ以下の範囲になるようにフィードバックすれば、ビット・エラー・レート最小の条件を光受信器自らが自動的に制御することになる。
【００４９】
従って、上記制御を実現するため、本実施例の光受信器では、図６に示すように、フィードバック制御回路として直流電流モニタ１３（光強度検出手段）を設けた。直流電流モニタ１３では、ＰＤ８に流れる光電流の直流成分から、入射した光信号の光強度を検出しており、検出した光強度が−５ｄＢｍ以上、−１０ｄＢｍ以下の範囲になるような出力信号を、角度制御素子６へフィードバックして、回折格子７の角度を制御している。この直流電流モニタ１３は、例えば、図５を参照して説明すると、ＰＤ８等と共に、サブ基板１１上に設ける構成としている。
【００５０】
このような構成にすることにより、外部回路を用いることなく、本実施例の光受信器は、常時最小ビット・エラー・レートで光電変換できた。
【産業上の利用可能性】
【００５１】
本発明は、可変光減衰器及び光スペクトルスライスの機能（分散補償の機能）が付与された新規な光受信器を提供するものであり、従来の光受信器と比べて、高いオーバロード耐性と高い分散補償能力を有し、一種類の光受信器で、長距離も短距離もカバーしうるため、ネットワークやノード、リンクの設計が容易になるものである。
【図面の簡単な説明】
【００５２】
【図１】本発明に係る光受信機の実施形態の一例（実施例１）を示す構成図である。
【図２】図１に示した光受信機における信号フロー図である。
【図３】図１に示した光受信機における角度とフォトダイオードにおける受光パターンを説明する図である。
【図４】図１に示した光受信機において、角度に対する減衰量、アイ開口改善量を示すグラフである。
【図５】本発明に係る光受信機の実施形態の他の一例（実施例３）を示す構成図である。
【図６】本発明に係る光受信機の実施形態の他の一例（実施例４）を示す構成図である。
【図７】従来の光受信機を示す図である。
【符号の説明】
【００５３】
１    光ファイバ
２    ファイバスリーブ
３    レンズハウジング
４    レンズ
５    筺体
６    角度調整素子
７    回折格子
８    フォトダイオード（ＰＤ）
９    トランスインピーダンス増幅器（ＴＩＡ）
１０  サーミスタ
１１  サブ基板
１２  絞り
１３  直流電流モニタ
１０１  可変光減衰器
１０２  光受信器
１０３  光分散補償器
【図１】
2009246621.tif 000003
【図２】
2009246621.tif 000004
【図３】
2009246621.tif 000005
【図４】
2009246621.tif 000006
【図５】
2009246621.tif 000007
【図６】
2009246621.tif 000008
【図７】
2009246621.tif 000009